(57)【特許請求の範囲】
【請求項１】
他の投影装置と共に同じ画像を投影面に重畳して投影する投影装置であって、
複数種類の調整項目のうちからいずれかの調整項目を選択する選択手段と、
前記選択手段で選択された調整項目に好ましい予め決められた映像出力状態に制御する制御手段であって、前記映像出力状態として映像停止、映像一部出力及び映像全出力の何れかに制御する制御手段
とを備えることを特徴とする投影装置。
【請求項２】
さらに、同じ画像を投影面に重畳して投影するため前記他の投影装置と通信する通信手段を有し、前記通信手段は、前記選択手段で選択された調整項目に応じて予め決められた映像出力状態となるように前記他の投影装置に指示を送信することを特徴とする請求項１に記載の投影装置。
【請求項３】
前記制御手段は、前記選択手段により、フォーカス調整、入力切替え及び機器情報表示の何れかの調整項目が選択された場合には、前記他の投影装置及び自装置の一方を前記映像停止に制御することを特徴とする請求項１または２に記載の投影装置。
【請求項４】
前記制御手段は、前記選択手段により、色相調整、明るさ調整、シャープネス、壁色補正及びランプ設定の何れかの調整項目が選択された場合には、前記他の投影装置及び自装置を共に前記映像一部出力に制御することを特徴とする請求項１ないし３のいずれか１項に記載の投影装置。
【請求項５】
前記制御手段は、前記選択手段により、キーストーン補正及びレンズシフト調整の何れかの調整項目が選択された場合には、前記他の投影装置及び自装置を共に前記映像全出力に制御することを特徴とする請求項１ないし４のいずれか１項に記載の投影装置。
【請求項６】
前記制御手段は、前記選択手段による選択が終了した際、前記他の投影装置及び自装置の投影状態を映像全出力の状態に復帰させることを特徴とする請求項１ないし５のいずれか１項に記載の投影装置。
【請求項７】
前記制御手段は、前記映像一部出力の制御に対し調整用テストパターンを投影させることを特徴とする請求項１ないし６のいずれか１項に記載の投影装置。
【請求項８】
他の投影装置と共に同じ画像を投影面に重畳して投影する投影装置を制御する方法であって、
複数種類の調整項目のうちからいずれかの調整項目を選択する選択ステップと、
前記選択ステップで選択された調整項目に好ましい予め決められた映像出力状態に制御する制御ステップ
とを有し、
前記映像出力状態が、映像停止、映像一部出力及び映像全出力の何れかである
ことを特徴とする投影装置の制御方法。
【請求項９】
さらに、同じ画像を投影面に重畳して投影するため前記他の投影装置と通信する通信手段を介して、前記選択ステップで選択された調整項目に応じて予め決められた映像出力状態となるように前記他の投影装置に指示を送信する送信ステップを有することを特徴とする請求項８に記載の投影装置の制御方法。
【請求項１０】
前記制御ステップは、前記選択ステップにより、フォーカス調整、入力切替え及び機器情報表示の何れかの調整項目が選択された場合には、前記他の投影装置及び自装置の一方を前記映像停止に制御することを特徴とする請求項８または９に記載の投影装置の制御方法。
【請求項１１】
前記制御ステップは、前記選択ステップにより、色相調整、明るさ調整、シャープネス、壁色補正及びランプ設定の何れかの調整項目が選択された場合には、前記他の投影装置及び自装置を共に前記映像一部出力に制御することを特徴とする請求項８ないし１０のいずれか１項に記載の投影装置の制御方法。
【請求項１２】
前記制御ステップは、前記選択ステップにより、キーストーン補正及びレンズシフト調整の何れかの調整項目が選択された場合には、前記他の投影装置及び自装置を共に前記映像全出力に制御することを特徴とする請求項８ないし１１のいずれか１項に記載の投影装置の制御方法。
【請求項１３】
前記制御ステップは、前記選択ステップによる選択が終了した際、前記他の投影装置及び自装置の投影状態を映像全出力の状態に復帰させることを特徴とする請求項８ないし１２のいずれか１項に記載の投影装置の制御方法。
【請求項１４】
前記制御ステップは、前記映像一部出力の制御に対し調整用テストパターンを投影させることを特徴とする請求項８ないし１３のいずれか１項に記載の投影装置の制御方法。
【発明の詳細な説明】
【技術分野】
【０００１】
本発明は、投影装置及びその制御方法に関し、特に複数の投影装置が同じ映像を出力し、それらをオーバーラップさせて投影する際のメニュー等による映像調整・本体設定に関する。
【背景技術】
【０００２】
従来、投影装置においては、輝度向上を目的として複数の装置から投影される同じ投影画像をオーバーラップさせて投影するスタック投影システムが知られている。
【０００３】
従来、投影装置においては、画質調整や画角調整を行う場合には、投影画面上にメニュー画面を表示して、ユーザの選択した項目を調整していた。
【０００４】
特許文献１には、スタック投影システムにおいて画質調整や画角調整を行う場合に、ユーザによる調整内容を全プロジェクタに反映するか、メニューを表示しているプロジェクタのみに反映するかを区別する技術が記載されている。
【先行技術文献】
【特許文献】
【０００５】
【特許文献１】特開２００８−７０３９７号公報
【発明の概要】
【発明が解決しようとする課題】
【０００６】
特許文献１に記載の技術では、例えばフォーカス調整等の調整項目については単体に調整値が反映されるが、他方の投影装置はこの調整中においても投影を継続している。従って、本来、単体での投影の様子を観察しながら調整を行なう調整の際は、調整内容、調整結果が認識しづらくなってしまうという問題があった。
【０００７】
そこで本発明の目的は、調整内容（項目）や設定内容（項目）に応じて、投影画像を構成する各投影装置の映像出力方法を制御することを可能にした投影装置及びその制御方法を提供することである。
【課題を解決するための手段】
【０００８】
本発明に係る投影装置は、他の投影装置と共に同じ画像を投影面に重畳して投影する投影装置であって、複数種類の調整項目のうちからいずれかの調整項目を選択する選択手段と、前記選択手段で選択された調整項目に好ましい予め決められた映像出力状態に制御する制御手段であって、前記映像出力状態として映像停止、映像一部出力及び映像全出力の何れかに制御する制御手段とを備えることを特徴とする。
本発明に係る投影装置の制御方法は、他の投影装置と共に同じ画像を投影面に重畳して投影する投影装置を制御する方法であって、複数種類の調整項目のうちからいずれかの調整項目を選択する選択ステップと、前記選択ステップで選択された調整項目に好ましい予め決められた映像出力状態に制御する制御ステップとを有し、前記映像出力状態が、映像停止、映像一部出力及び映像全出力の何れかであることを特徴とする。
【発明の効果】
【０００９】
本発明によれば、調整内容や設定内容に応じて、複数台の投影装置による投影画像の状態を切り替えできるので、ユーザに対して設定又は調整が容易な環境を提供できる。
【図面の簡単な説明】
【００１０】
【図１】本発明の一実施例における投影システムの外観斜視図である。
【図２】本実施例におけるプロジェクタの概略構成ブロック図である。
【図３】本実施例のマスタープロジェクタの動作フローチャートである。
【図４】調整項目に応じた投影パターンテーブル例を示す図である。
【図５】本実施例におけるスレーブプロジェクタの動作フローチャートである。
【図６】投影パターンＢの際の調整メニュー表示状態例を示す図である。
【発明を実施するための形態】
【００１１】
以下、図面を参照して、本発明の実施例を詳細に説明する。
【実施例１】
【００１２】
同じ画像を投影面に重畳して投影する投影システムに適用した本発明の一実施例を説明する。本発明の一実施例では、投影装置の一例として液晶プロジェクタを使用する。液晶プロジェクタには、単板式、３板式などが一般に知られているが、どちらの方式であっても良い。本実施例で使用する液晶プロジェクタは、表示するべき画像に応じて液晶素子の光の透過率を制御し、液晶素子を透過した光源からの光をスクリーンに投影することで、画像をユーザに提示する。
【００１３】
図１は、２台のプロジェクタを使用し、各プロジェクタに同じ画像を投影画面上でオーバーラップさせて投影するスタック投影を行なっている状態を示す外観図である。２台のプロジェクタのうち、ユーザの操作により調整が行なわれるプロジェクタをマスタープロジェクタ１００と定義し、調整内容に応じて映像出力制御を受けるプロジェクタをスレーブプロジェクタ２００と定義する。マスタープロジェクタ１００は特許請求の範囲の自投影装置又は自装置に相当し、スレーブプロジェクタ２００は、他の投影装置又は外部投影装置に相当する。
【００１４】
各プロジェクタ１００，２００は同じ画像を示す映像信号を受け、同じ画像３００をスクリーン上に投影する。マスタープロジェクタ１００は、設置台４００の下に配置され、スレーブプロジェクタ２００は設置台４００の上に配置されている。
【００１５】
図２は、マスタープロジェクタ１００の内部構成図を示す。マスタープロジェクタ１００は投影光学系１０１、液晶パネル１０２、光源１０３、光源制御部１０４、液晶駆動部１０５及び光学系制御部１０６を具備する。マスタープロジェクタ１００はまた、接続部１０７、制御部１０８、画像処理部１０９、ＲＯＭ１１０、ＲＡＭ１１１及び操作部１１２を具備する。スレーブプロジェクタ２００も、マスタープロジェクタ１００と同様の構成及び同等の機能を有する。
【００１６】
投影光学系１０１は、表示すべき画像をスクリーンに投影するためのものであり、複数のレンズ、レンズ駆動用のアクチュエータからなる。投影光学系１０１のレンズをアクチュエータにより駆動することで、投影画像の拡大縮小及び焦点調整などを行うことができる。液晶パネル１０２は、光源１０３から出射され、ミラー（不図示）で分離された各色の光（赤色（Ｒ）、緑色（Ｇ）、青色（Ｂ））から各色の画像、すなわちＲ画像、Ｇ画像及びＢ画像を生成する。光源制御部１０４は、制御部１０８から送られる制御命令に基づいて、光源１０３の光量の調整、出射のＯＮ／ＯＦＦの制御等を行なう。液晶駆動部１０５は、入力される映像信号に基づきＲＧＢ各色を再現するように液晶パネル１０２の透過率を調整する。光学系制御部１０６は制御部１０８から送られる制御命令に基づいて、ズーム率、シフト量、フォーカス等の様々な調整を行う。
【００１７】
接続部１０７は、映像出力装置等と接続するためのインターフェースであり、映像信号、音声信号及び各種コントロール信号の送受信に使用される。接続部１０７は映像信号受信インターフェースとして、コンポジット端子、Ｓ映像端子、Ｄ端子、コンポーネント端子、アナログＲＧＢ端子、ＤＶＩ−Ｉ端子、ＤＶＩ−Ｄ端子、ＨＤＭＩ端子又はＤｉｓｐｌａｙＰｏｒｔ端子等を含む。また、接続部１０７は、アナログ映像信号を受信した場合には、受信したアナログ映像信号をデジタル映像信号に変換する。
【００１８】
接続部１０７に接続するケーブルを介して、マスタープロジェクタ１００は、スレーブプロジェクタ２００の動作状態を知ることができ、スレーブプロジェクタ２００を制御できる。又は、映像音声信号以外の補助データの送受信が可能なケーブルで分配機を介して、マスタープロジェクタ１００とスレーブプロジェクタ２００を接続しても良い。映像音声信号以外の制御信号等を伝送可能なケーブルを使える場合、マスタープロジェクタ１００とスレーブプロジェクタ２００を映像出力機器とカスケード接続してもよい。例えば、ＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）の様な補助情報送受信可能なＨＤＭＩケーブルが利用できる。または、カスケード接続が可能であり、且つＡＵＸ−ＣＨ（Ａｕｘｉｌｉａｒｙ−Ｃｈａｎｎｅｌ）のようなコントロール指示情報が送受信可能なＤｉｓｐｌａｙＰｏｒｔを用いても良い。プロジェクタ１００，２００間の通信のための通信装置をマスタープロジェクタ１００とスレーブプロジェクタ２００に設け、通信ケーブル又は無線ＬＡＮ等の通信媒体を介して通信可能としても良い。
【００１９】
制御部１０８はＲＯＭ１１０に格納されているプログラムに基づいて各部への指示、マスタープロジェクタ１００内部の状態管理及び投影モード管理等を行う。画像処理部１０９は、入力画像の解像度、フレームレート、画像の形状変形、色調変換、及びメニュー等のＯＳＤ画像のオーバーラップ処理といった、入力画像に対する各種変更処理を行う。画像処理部１０９は、例えば画像処理用のマイクロプロセッサからなる。また、画像処理部１０９は、ＲＯＭ１１０に記憶され、制御部１０８上で動作するプログラムとして実現されても良い。
【００２０】
ＲＯＭ１１０は、プロジェクタ内部を制御するプログラム及び常に保持しておくべきテーブルデータを記憶する。ＲＡＭ１１１は、接続部１０７より入力される画像データ及び画像処理部１０９により画像処理を行なう際の画像データの一時保存等に使用される。
【００２１】
操作部１１２は、マスタープロジェクタ１００の筺体に備え付けられている各種操作釦であり、マスタープロジェクタ１００の機能制御及びメニュー操作を行うための操作インターフェースである。
【００２２】
マスタープロジェクタ１００の基本的な動作を説明する。操作部１１２（または制御用のリモコン（不図示））でユーザによる電源ＯＮの指示を受けると、制御部１０８は、電源部からマスタープロジェクタ１００の各部へ電源を供給するよう指示を出す。接続部１０７は、外部の映像出力装置から受信した映像信号を画像処理部１０９に送信する。映像出力装置は、映像信号を出力できるものであれば、パーソナルコンピュータ、カメラ、携帯電話、スマートフォン、ハードディスクレコーダ又はゲーム機など、どのようなものであってもよい。
【００２３】
画像処理部１０９は、映像出力装置から受信した映像信号にフレーム数、画素数及び画像形状などの変更処理を施して、液晶駆動部１０５に送信する。画像処理部１０９は、フレーム間引き処理、フレーム補間処理、解像度変換処理、歪曲収差補正処理、キーストーン補正処理、といった機能を実行できる。更には、ＯＳＤ画像を投影画像にオーバーラップして表示させる処理も実行可能である。液晶駆動部１０５は、入力映像信号に基づきＲＧＢ各色を再現するように液晶パネル１０２の透過率を調整する。
【００２４】
制御部１０８は、接続部１０７に映像信号が外部から入力されているか否かを監視し、接続部１０７に映像信号が入力すると、各部に投影処理を実行させる。具体的には、接続部１０７は、入力映像信号を画像処理部１０９に供給する。画像処理部１０９は、接続部１０７からの映像信号に前述した各種処理を施し、液晶駆動部１０５に供給する。液晶駆動部１０５は、画像処理部１０９からの画像信号のＲＧＢ各色の成分の階調レベルに応じて、液晶パネル１０２の透過率を制御する。
【００２５】
光源制御部１０４は、光源１０３を発光させ、又は、その光量を制御する。光源１０３から出力された光は赤色（Ｒ）、緑色（Ｇ）及び青色（Ｂ）に分離されて、液晶パネル１０２に供給される。液晶パネル１０２に供給された各色の光は、対応する色成分の液晶パネルの画素毎に光強度変調される。液晶パネル１０２を透過した赤色（Ｒ）、緑色（Ｇ）、青色（Ｂ）の光はプリズム（不図示）により再び１つの画像に合成され、投影光学系１０１により図示しないスクリーンに投影される。
【００２６】
以上のように、マスタープロジェクタ１００は、外部の映像出力装置等から出力された映像信号の画像をスクリーンに投影する。スレーブプロジェクタ２００も、同様の動作により、入力映像信号の画像を投影する。
【００２７】
図３は、マスタープロジェクタ１００がスレーブプロジェクタ２００を制御する動作のフローチャートを示す。マスタープロジェクタ１００及びスレーブプロジェクタ２００は、図１に示すように、全画像領域がオーバーラップした状態に投影位置を設定されているとする。マスタープロジェクタ１００がメニューを投影表示し、マスタープロジェクタ１００に対し各種調整を行なう際の動作を説明する。マスタープロジェクタ１００及びスレーブプロジェクタ２００は夫々、画像の投影を開始しているものとする。
【００２８】
Ｓ１０１で、ユーザが操作部１１２によりメニュー表示を指示すると、マスタープロジェクタ１００の制御部１０８は、入力映像信号にメニュー画像を重畳する処理を画像処理部１０９に実行させる。これにより、投影画像中にメニューが表示される。
【００２９】
Ｓ１０２で、制御部１０８は、ユーザによる操作部１１２への再度のメニュー操作指示に応じて、選択された調整項目を判定する。ここで、マスタープロジェクタ１００の投影画像とスレーブプロジェクタ２００の投影画像が正確に重なるように調整されていない状態であり、ユーザが、そのオーバーラップ調整動作を選択したとする。このとき、Ｓ１０２で、ユーザはレンズシフト調整メニューを選択することになる。
【００３０】
Ｓ１０３で、マスタープロジェクタ１００の制御部１０８は内部のＲＯＭ１１０に保持しているメニュー項目別テーブルを参照する。図４は、メニュー項目別テーブルの一例を示す。マスタープロジェクタ１００の制御部１０８は、ユーザにより選択された調整項目とメニュー項目別テーブルとを比較し、調整項目に応じた投影パターンを決定する。
【００３１】
図４に示すテーブルに予め用意されている投影パターンを簡単に説明する。本実施例では、各調整項目に３つのパターンの何れか１つを割り当てている。
【００３２】
パターンＡは、マスタープロジェクタ１００及びスレーブプロジェクタ２００が同時に画像を投影しつつ調整すると調整効果がより分かり易い項目に割り当てられる。例えば、画角や投影画像サイズの調整である。位置調整のキーストーン補正やレンズシフト調整は、他方のプロジェクタの投影画像を見ながら調整することが好ましい。操作部１１２は、これらの調整又は設定のための設定手段として機能する。
【００３３】
パターンＢは、図６に示すような、プロジェクタ１００，２００が左右半分の領域に横に並べて画像を投影するパターンである。３０１は、調整を行おうとするプロジェクタの投影画像を示し、３０２は、他方のプロジェクタの投影画像を示す。実際は投影画像のサイズに変化は無いが、夫々互いに異なる側の半面を黒画像に置き換えて投影を行なうことでこの投影パターンを実現する。パターンＢでは、比較参照する対象を表示しつつ自装置の調整を行う項目を割り当てる。図４に示すテーブルでは、例えば色相、明るさ、シャープネス、ランプ設定、壁色補正等である。スタック投影画像がユーザの意図した画質となるよう、予めプロジェクタ１００，２００に対し前述の項目を調整し、事前に見映えを合わせておくことも考えられる。また、画質を調整する際、一般的にテストパターン、いわゆる調整用テストパターンを表示することがある。図６に示すように、より調整が容易となるよう左右対称な形のテストパターン６００をパターンＢの投影状態に遷移した際に表示するようにしてもよい。さらに、ユーザが左右どちらの投影画像を調整しているかを認識し易くなるように、調整メニューＯＳＤ５００を調整対象側にオーバーラップ表示しても良い。
【００３４】
パターンＣでは、プロジェクタ１００，２００の投影画像をオーバーラップさせない。パターンＣは、プロジェクタ単体の投影画像を見ながら調整することが好ましい調整項目に割り当てる。図４に示すテーブルでは、フォーカス調整、入力切替え、ネットワーク設定、機器情報表示及び工場出荷時設定である。例えばフォーカス調整は他方のプロジェクタの投影状態や画質に依存しないので、１台のプロジェクタのみが投影している状態で調整する方が調整結果又は効果を認識し易い。マスタープロジェクタ１００を調整する際には、スレーブプロジェクタ２００を消灯するか、黒画像の投影状態にする。スレーブプロジェクタ２００を調整する際には、逆にする。スレーブプロジェクタ２００を消灯するとき、これをユーザに通知するのが好ましい。例えば、マスタープロジェクタ１００の制御部１０８は、画像処理部１０９を制御して、マスタープロジェクタ１００の投影画像内にスレーブプロジェクタ２００が非表示状態である旨を表示させる。
【００３５】
図３に示すフローでは、パターンＡに属する調整項目が選択された場合、制御部１０８は、ステップＳ１０９に従って動作する。パターンＢに属する調整項目が選択された場合、制御部１０８は、ステップＳ１０６，Ｓ１０７に従って動作する。パターンＣに属する調整項目が選択された場合、制御部１０８は、ステップＳ１０８に従って動作する。
【００３６】
例えば、Ｓ１０２でユーザがレンズシフト調整を選択した場合、制御部１０８は、Ｓ１０３でメニュー項目別テーブルを参照し、その結果として、Ｓ１０４でパターンＡに属する調整項目が選択されたと判断する。パターンＡに属する調整項目が選択された場合、Ｓ１０９で、マスタープロジェクタ１００の制御部１０８は、ＨＤＭＩ−ＣＥＣライン又はＡＵＸ−ＣＨを介してスレーブプロジェクタ２００に対し映像出力を指示する。ここでの動作説明例では、既にマスタープロジェクタ１００及びスレーブプロジェクタ２００は投影状態にある。従って、スレーブプロジェクタ２００側の制御部１０８は、マスタープロジェクタ１００からの映像出力指示に指示を破棄しても良い。
【００３７】
例えば、Ｓ１０２でユーザが例えば事前に色相調整メニューが選択した場合、制御部１０８は、Ｓ１０４でＮｏに遷移し、ステップＳ１０５で色相メニューがパターンＢに属するか否か判断する。色相調整メニューはメニュー項目別テーブルによりパターンＢに属する調整項目と定義されているので、マスタープロジェクタ１００の制御部１０８は、Ｓ１０６に移行する。そして、Ｓ１０６で、マスタープロジェクタ１００の制御部１０８は、パターンＢの投影形状となるような半面投影指示を、接続部１０７を介してスレーブプロジェクタ２００に送出する。
【００３８】
この半面投影指示を伝達する方法は特定の形態に限定されない。例えば、ＤｉｓｐｌａｙＰｏｒｔのＡＵＸ−ＣＨやＨＤＭＩにおけるＣＥＣを使用し、ベンダーコマンドを独自に定義し通信することで実現しても良い。また、左右どちらの半面を黒画像として投影するかを、通信内容にオプションとして含めて指示を送出しても良い。上下のどちらに黒画像を投影するかを示す情報、及び、より詳細にどの位置を黒画像として投影するかを示す情報を指示に含めて送出しても良い。
【００３９】
ＨＤＭＩ−ＣＥＣでは、通信パケットは、スタートビット、ヘッダーブロックとオペレーション内容及び詳細情報を含む複数のデータブロックで構成される。データブロックに半面投影を示すオペレーションコードを定義し、オプションデータとして左右の何れに投影画像を表示するかを示すパラメータを定義することで実現できる。また、ＨＤＭＩ−ＣＥＣに則った具体的な通信手段及び通信シーケンスについては、本実施例の理解に必須でないので、詳細な説明は省略する。
【００４０】
Ｓ１０７で、マスタープロジェクタ１００の制御部１０８は、自装置も半面投影となるように画像処理部１０９を制御する。すなわち、制御部１０８は、スレーブプロジェクタ２００で半面投影する側に黒画像を重畳するように画像処理部１０９を制御する。又は、スレーブプロジェクタ２００で半面投影する側の投影画像を物理的なシャッタ（図示せず）により投影されないように遮蔽してもよい。制御部１０８は、スレーブプロジェクタ２００で半面投影する側の投影画像を黒画像と入れ替えるように画像処理部１０９を制御してもよい。
【００４１】
Ｓ１０７では、制御部１０８は、Ｓ１０６でスレーブプロジェクタ２００に指示した半面の投影方向とは逆の方向の投影及び該方向の投影面上に対し調整メニューＯＳＤを表示するよう画像処理部１０９を制御してもよい。これにより、ユーザに調整対象としている画像を視覚的に認識させることができる。
【００４２】
Ｓ１０５でフォーカス調整のようなパターンＣに該当する調整項目が予め選択されていた場合、マスタープロジェクタ１００の制御部１０８は、Ｓ１０８に遷移する。Ｓ１０８で、マスタープロジェクタ１００の制御部１０８は、スレーブプロジェクタ２００に映像出力を全て停止する指示を送出する。
【００４３】
このように、マスタープロジェクタ１００はスレーブプロジェクタ２００に指令を送って、映像停止（黒画像出力又は非投影）、映像一部出力（半面投影）及び映像全出力の何れかに制御できる。
【００４４】
図５は、スレーブプロジェクタ２００側の制御部１０８による処理のフローチャートを示す。図５を参照して、スレーブプロジェクタ２００側の処理を説明する。本実施例では、スレーブプロジェクタ２００はマスタープロジェクタ１００から指示を受けることを前提としているので、投影開始後、常時、指示待ち受け状態にある。
【００４５】
Ｓ２０１で、スレーブプロジェクタ２００の制御部１０８は、マスタープロジェクタ１００からの指示を待機する。マスタープロジェクタ１００から何かの指示を受け付けると、スレーブプロジェクタ２００の制御部１０８は、Ｓ２０２に移行する。
【００４６】
Ｓ２０２で、制御部１０８は、受け付けた指示が映像全出力停止指示か否かを判定し、全出力停止指示であった場合は、Ｓ２０３で、自装置の映像出力を停止し処理を終了する。自装置の映像出力を停止させるには、例えば、次のようにする。スレーブプロジェクタ２００の制御部１０８は、画像処理部１０９に保持している出力用の画像の大半を黒画像に置換するように画像処理部１０９を制御するか、光源１０３からの出力を停止するように光源制御部１０４を制御する。または、スレーブプロジェクタ２００の制御部１０８は、不図示のシャッタにより投影画像の大半を遮るように制御しても良い。
【００４７】
Ｓ２０２で、受け付けた指示が映像全出力停止指示でない場合、スレーブプロジェクタ２００の制御部１０８は、Ｓ２０４に遷移する。Ｓ２０４で、スレーブプロジェクタ２００の制御部１０８は、半面投影指示か否かを判定する。半面投影指示である場合、Ｓ２０５で、スレーブプロジェクタ２００の制御部１０８は、半面への投影を停止する処理を行う。具体的には、スレーブプロジェクタ２００の制御部１０８は、マスタープロジェクタ１００からの半面投影指示を解析し、画面上のどの位置を画像投影状態とし、どの位置を黒画像状態とするかを決定する。そして、制御部１０８は、指定された位置（範囲）に黒画像が重畳されるように画像処理部１０９を制御するか、投影画像の指定された位置（範囲）を物理的なシャッタ（図示せず）により遮蔽する。または、制御部１０８は、指定された位置（範囲）の投影画像を黒画像と入れ替えるように画像処理部１０９を制御する。
【００４８】
Ｓ２０５で、受け付けた指示が半面投影指示でもない場合、スレーブプロジェクタ２００の制御部１０８は、黒画像投影を停止するように画像処理部１０９を制御する。すなわち、制約の無い映像出力（投影）を有効化する。既に映像出力状態である場合は、特別の処理は不要である。しかし、ユーザが別の操作手段によりスレーブプロジェクタ２００の映像出力を制御していたときには、映像出力を再開することになる。また、ユーザが調整項目を選択したことで投影形状が変化した後にメニューを閉じる操作を行なうなどで調整を終了することも想定できる。そのような場合、再度、マスタープロジェクタ１００とスレーブプロジェクタ２００間で制御指示通信を行なうことで、投影形状を通常のスタック投影状態に復帰させればよい。
【００４９】
以上のように、マスタープロジェクタ１００及びスレーブプロジェクタ２００を制御することで、ユーザが選択した調整項目に対し適切な投影形状の画像を投影できるようになる。
【００５０】
以上、本発明の好ましい実施例を説明したが、本発明は上記した実施例に限定されず、その要旨の範囲内で種々の変形及び変更が可能である。
【図１】
0005979833.tif 000002
【図２】
0005979833.tif 000003
【図３】
0005979833.tif 000004
【図４】
0005979833.tif 000005
【図５】
0005979833.tif 000006
【図６】
0005979833.tif 000007